(57)【要約】【課題】筐体内でガス管を容易に配設できるようにしたガスコンロを提供する。【解決手段】ガバナ装置１００のガス分配装置は、分配したガスをグリル庫３１の上火バーナ３２に供給するための上火供給口を基体の右面において右方へ向けて開口する。上火バーナ３２がガスを受給する上火スロート部３７の開口部分は右方へ向けて開口する。上火ガス管３５の上流端部３５Ａと下流端部３５Ｂは、両端部を繋ぐ中間部分に対して同一方向である左向きに屈曲する。上火ガス管３５の接続時、上火ガス管３５を筐体の隙間領域に配置し、上火ガス管３５の全体を左方へ移動する。上流端部３５Ａと下流端部３５Ｂは、同一方向への移動によって、夫々、上火供給口と上火スロート部３７に接続することができる。下火ガス管３６の上流端部３６Ａと下流端部３６Ｂについても同様である。【選択図】図６
2020169732.tif 000002
【特許請求の範囲】
【請求項１】
上火バーナと下火バーナを有するグリル庫が左右方向の中央寄りに配置される筐体と、
前記グリル庫の左右方向における一方の側面と前記筐体の内面とで形成される隙間領域に配置され、前記上火バーナと前記下火バーナに供給するガスの供給圧を所定圧に調圧するガスガバナ、及び前記ガスガバナが調圧したガスを前記上火バーナと前記下火バーナに分配する分配部を有するガバナ装置と
を備えたガスコンロであって、
前記グリル庫は、
前記ガバナ装置から前記上火バーナが受給するガスの入口であり、所定の第一方向に沿って延び、前記第一方向の一方側へ向けて開口する上火混合管と、
前記ガバナ装置から前記下火バーナが受給するガスの入口であり、所定の第二方向に沿って延び、前記第二方向の一方側へ向けて開口する下火混合管と
を有し、
前記分配部は、
前記上火バーナに供給するガスの出口であり、前記ガバナ装置を前記隙間領域内に配置した場合の向きで、前記第一方向の一方側へ向けて開口する上火供給口と、
前記下火バーナに供給するガスの出口であり、前記ガバナ装置を前記隙間領域内に配置した場合の向きで、前記第二方向の一方側へ向けて開口する下火供給口と
を有すること
を特徴とするガスコンロ。
【請求項２】
前記第一方向と前記第二方向は、同一方向であること
を特徴とする請求項１に記載のガスコンロ。
【請求項３】
前記第一方向と前記第二方向は、共に左右方向であること
を特徴とする請求項２に記載のガスコンロ。
【請求項４】
前記上火混合管は前記下火混合管の上方にあり、
前記ガバナ装置を前記隙間領域内に配置した場合の位置で、前記上火供給口は前記下火供給口の上方にあること
を特徴とする請求項１から３のいずれかに記載のガスコンロ。
【請求項５】
前記分配部のハウジングには、
前記第一方向及び前記第二方向に直交する第三方向に沿って延び、前記ガスガバナが調圧したガスを前記分配部に導入する流路である第一流路と、
前記第一流路に接続し、前記第一流路を流通するガスを、前記上火バーナに供給するガスと前記下火バーナに供給するガスとに分配する分配室と、
前記第三方向において前記分配室よりも前記第一流路側に設けられ、前記第一方向に沿って前記ハウジングを貫通し、前記第一方向の一方側の開口部分が前記上火供給口として機能し、前記第一方向の他方側の開口部分がガスの流量を調整する調整弁を組み付ける上火調整部として機能する第二流路と、
前記第三方向において前記分配室よりも前記第一流路側、且つ前記第一流路を挟んで前記第二流路の反対側に設けられ、前記第二方向に沿って前記ハウジングを貫通し、前記第二方向の一方側の開口部分が前記下火供給口として機能し、前記第二方向の他方側の開口部分が前記調整弁を組み付ける下火調整部として機能する第三流路と、
前記第三方向に沿って延び、前記分配室と前記第二流路の前記上火調整部とを接続する上火連通路と、
前記第三方向に沿って延び、前記分配室と前記第三流路の前記下火調整部とを接続する下火連通路と
が形成されたこと
を特徴とする請求項１から４のいずれかに記載のガスコンロ。
【発明の詳細な説明】
【技術分野】
【０００１】
本発明はガスコンロに関する。
【背景技術】
【０００２】
ガスコンロには、被調理物を上下から加熱する上火バーナと下火バーナを備えたグリル庫が設けられる。上火バーナと下火バーナにガスを供給する供給路には、ガスガバナで調圧したガスを分配し、上火バーナと下火バーナの夫々に供給する装置が設けられる。例えば特許文献１においてガスを分配する分配部は、分配したガスを送出する２つの流出口を、ハウジングの上部に並設する。２つの流出口には夫々ガス管が接続され、各ガス管を介し、上火バーナと下火バーナの夫々にガスが供給される。
【０００３】
一方、グリル庫はガスコンロの筐体内の中央に配置される。上火バーナと下火バーナのスロート部は、グリル庫の側面で分配部が配置される側の側面に設けられ、ガス管の取付口が側方を向く。故にガス管は、スロート部に対しては一方の端部を取付口に差し込むように横方向にスライドして取り付け、火力調整機構のハウジングに対しては他方の端部を流出口に差し込むように縦方向にスライドして取り付ける。
【先行技術文献】
【特許文献】
【０００４】
【特許文献１】特開２０１５−３６５９５号公報
【発明の概要】
【発明が解決しようとする課題】
【０００５】
近年、グリル庫が大型化し、筐体内のレイアウトの制限が厳しくなる傾向にある。分配部の配置位置にも制限が生じ、従来よりも狭くなった空間内でガス管を配設するのに手間がかかり、作業効率が低下するという問題があった。
【０００６】
本発明の目的は、筐体内でガス管を容易に配設できるようにしたガスコンロを提供することである。
【課題を解決するための手段】
【０００７】
本発明の請求項１に係る発明のガスコンロは、上火バーナと下火バーナを有するグリル庫が左右方向の中央寄りに配置される筐体と、前記グリル庫の左右方向における一方の側面と前記筐体の内面とで形成される隙間領域に配置され、前記上火バーナと前記下火バーナに供給するガスの供給圧を所定圧に調圧するガスガバナ、及び前記ガスガバナが調圧したガスを前記上火バーナと前記下火バーナに分配する分配部を有するガバナ装置とを備えたガスコンロであって、前記グリル庫は、前記ガバナ装置から前記上火バーナが受給するガスの入口であり、所定の第一方向に沿って延び、前記第一方向の一方側へ向けて開口する上火混合管と、前記ガバナ装置から前記下火バーナが受給するガスの入口であり、所定の第二方向に沿って延び、前記第二方向の一方側へ向けて開口する下火混合管とを有し、前記分配部は、前記上火バーナに供給するガスの出口であり、前記ガバナ装置を前記隙間領域内に配置した場合の向きで、前記第一方向の一方側へ向けて開口する上火供給口と、前記下火バーナに供給するガスの出口であり、前記ガバナ装置を前記隙間領域内に配置した場合の向きで、前記第二方向の一方側へ向けて開口する下火供給口とを有することを特徴とする。
【０００８】
請求項２に係る発明のガスコンロは、請求項１に記載の発明の構成に加え、前記第一方向と前記第二方向は、同一方向であることを特徴とする。
【０００９】
請求項３に係る発明のガスコンロは、請求項２に記載の発明の構成に加え、前記第一方向と前記第二方向は、共に左右方向であることを特徴とする。
【００１０】
請求項４に係る発明のガスコンロは、請求項１から３のいずれかに記載の発明の構成に加え、前記上火混合管は前記下火混合管の上方にあり、前記ガバナ装置を前記隙間領域内に配置した場合の位置で、前記上火供給口は前記下火供給口の上方にあることを特徴とする。
【００１１】
請求項５に係る発明のガスコンロは、請求項１から４のいずれかに記載の発明の構成に加え、前記分配部のハウジングには、前記第一方向及び前記第二方向に直交する第三方向に沿って延び、前記ガスガバナが調圧したガスを前記分配部に導入する流路である第一流路と、前記第一流路に接続し、前記第一流路を流通するガスを、前記上火バーナに供給するガスと前記下火バーナに供給するガスとに分配する分配室と、前記第三方向において前記分配室よりも前記第一流路側に設けられ、前記第一方向に沿って前記ハウジングを貫通し、前記第一方向の一方側の開口部分が前記上火供給口として機能し、前記第一方向の他方側の開口部分がガスの流量を調整する調整弁を組み付ける上火調整部として機能する第二流路と、前記第三方向において前記分配室よりも前記第一流路側、且つ前記第一流路を挟んで前記第二流路の反対側に設けられ、前記第二方向に沿って前記ハウジングを貫通し、前記第二方向の一方側の開口部分が前記下火供給口として機能し、前記第二方向の他方側の開口部分が前記調整弁を組み付ける下火調整部として機能する第三流路と、前記第三方向に沿って延び、前記分配室と前記第二流路の前記上火調整部とを接続する上火連通路と、前記第三方向に沿って延び、前記分配室と前記第三流路の前記下火調整部とを接続する下火連通路とが形成されたことを特徴とする。
【発明の効果】
【００１２】
請求項１に係る発明のガスコンロによれば、ガバナ装置とグリル庫との間に上火用のガス管を配設する場合に、ガス管の一端部を上火供給口に接続する方向と、他端部を上火混合管に接続する方向は共に同じ方向であり、第一方向の他方側の方向である。故に筐体内に上火用のガス管を組み付けるとき、ガス管の一端部を上火供給口に向け、他端部を上火混合管に向けた状態で、ガス管全体を第一方向の他方側に移動させればよいので、ガス管の位置決めが容易であり、筐体内でガス管を容易に配設することができる。また、上火用のガス管の接続作業において、ガス管の一端部を上火供給口に差し込む作業と、他端部を上火混合管に差し込む作業とを、ガス管に曲げや捻り等の負荷をかけずに行うことができる。そして、上火用のガス管は、例えば、一端部と他端部を、両端部を繋ぐ中間部に対して同一方向に折り曲げ、コの字状に形成すればよいので、製造が容易である。下火用のガス管を配設する場合についても同様である。すなわち、ガス管の一端部を下火供給口に接続する方向と、他端部を下火混合管に接続する方向は共に同じ方向であり、第二方向の他方側の方向である。故に筐体内に下火用のガス管を組み付けるとき、ガス管の一端部を下火供給口に向け、他端部を下火混合管に向けた状態で、ガス管全体を第二方向の他方側に移動させればよいので、ガス管の位置決めが容易であり、筐体内でガス管を容易に配設することができる。また、下火用のガス管の接続作業において、ガス管の一端部を下火供給口に差し込む作業と、他端部を下火混合管に差し込む作業とを、ガス管に曲げや捻り等の負荷をかけずに行うことができる。そして、下火用のガス管は、例えば、一端部と他端部を、両端部を繋ぐ中間部に対して同一方向に折り曲げ、コの字状に形成すればよいので、製造が容易である。
【００１３】
請求項２に係る発明のガスコンロによれば、請求項１に記載の発明の効果に加え、上火用のガス管と下火用のガス管を筐体内で共に同じ方向にてガバナ装置及びグリル庫に接続できるので、筐体内でガス管を容易に配設することができる。
【００１４】
請求項３に係る発明のガスコンロによれば、請求項２に記載の発明の効果に加え、ガス管の組み付け時の移動方向を左右方向に限定できるので、筐体内で他の部品に干渉しにくく、筐体内でガス管を容易に配設することができる。
【００１５】
請求項４に係る発明のガスコンロによれば、請求項１から３のいずれかに記載の発明の効果に加え、上火用のガス管と下火用のガス管が交差しないので、下火用のガス管を配設してから上火用のガス管を配設すればよく、筐体内でガス管を容易に配設することができる。
【００１６】
請求項５に係る発明のガスコンロによれば、請求項１から４のいずれかに記載の発明の効果に加え、一方の開口部分が上火供給口として機能する第二流路と、一方の開口部分が下火供給口として機能する第三流路は、共に、ハウジングを貫通する。ハウジングを金型で成型するとき、第二流路と第三流路を形成する中子によって上火供給口と下火供給口を形成すれば、夫々の開口方向を、第一方向の一方側と第二方向の一方側へ向けて精確に形成することができる。また、ガスガバナを第一流路の方向である第三方向に配置できるので、ガス管の配置における相互の干渉を避けることができる。更に、第一方向及び第二方向に第三方向が直交し、且つ第一流路を挟んで第二流路の反対側に第三流路を配置するので、ハウジング内で各流路の配置間隔を狭めても、構成要素の組み付けにおける相互の干渉を避けることができ、ハウジングの小型化を図ることができる。
【００１７】
なお、本発明は、請求項１から５の夫々の発明特定事項を任意に組み合わせてもよい。
【図面の簡単な説明】
【００１８】
【図１】ガスコンロ１の斜視図である。
【図２】天板３、コンロバーナ等を省略したガスコンロ１の平面図である。
【図３】図２のＩ−Ｉ線で矢視方向から見たガスコンロ１の断面図である。
【図４】ガバナ装置１００の分解斜視図である。
【図５】基体１３０を後方右上方から見た斜視断面図である。
【図６】ガバナ装置１００とグリル庫３１を後方右上方から見た斜視図である。
【発明を実施するための形態】
【００１９】
以下、本発明の実施形態を説明する。以下に記載される装置の構造は、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２０】
図１〜図３を参照し、ガスコンロ１について説明する。ガスコンロ１は、ビルトインタイプのコンロである。ガスコンロ１は筐体２と天板３を備える。筐体２は、筐体２の右側壁、左側壁、前側壁、後側壁及び底壁を構成する右壁部２１、左壁部２２、前壁部２３、後壁部２４及び底壁部２０を備え、上部が開口する略直方体状に形成される。天板３は、筐体２の開口部を覆う略矩形の板状を呈する。天板３において、右手前には右バーナ４、左手前には左バーナ５、中央奥側には奥バーナ６が設けられる。筐体２の内側の左右方向における略中央部には、箱状のグリル庫３１が設置される。天板３の後方部には、グリル庫３１の排気口７が設けられる。
【００２１】
ガスコンロ１の前面の略中央には、グリル扉８が設けられる。グリル扉８は、グリル庫３１の前側開口部分を開閉する。グリル扉８の右側の領域には、正面視円形状の２つの操作つまみ１１、１２が横方向に並んで設けられる。グリル扉８の左側の領域には、操作つまみ１１、１２と同じ高さ位置に、同一形状の２つの操作つまみ１３、１４が横方向に並んで設けられる。操作つまみ１１〜１４の夫々は、右バーナ４、グリル庫３１内の上火バーナ３２及び下火バーナ３３、奥バーナ６、左バーナ５の点火、消火及び火力調節を行う為に操作される。以下では、上火バーナ３２及び下火バーナ３３を総称してグリルバーナという。また、右バーナ４、左バーナ５及び奥バーナ６を総称してコンロバーナという。操作つまみ１１〜１４は夫々、燃料供給装置５１〜５４の前端部に取り付けられる。
【００２２】
図３を参照し、燃料供給装置５２について説明する。ガスコンロ１は、右バーナ４、グリルバーナ（上火バーナ３２、下火バーナ３３）、左バーナ５、奥バーナ６の夫々にガスを供給する４つの燃料供給装置５１〜５４を備える。そのうち、右バーナ４、左バーナ５、奥バーナ６にガスを供給する燃料供給装置５１、５３、５４は、操作つまみ１１、１３、１４の押し込み操作と回動操作に応じ、コンロバーナの点火と消火、及びコンロバーナに供給するガス量を調節する。グリルバーナにガスを供給する燃料供給装置５２は、燃料供給装置５１、５３、５４と同様に操作つまみ１２の押し込み操作に応じてグリルバーナの点火と消火を行うが、ガス量の調節は行わない。なお、ガス量の調節は、別体に設けたガバナ装置１００が行う。ガバナ装置１００は、操作つまみ１２の回転位置によって、ガバナ装置１００に設けた電磁弁１７１，１７２を夫々個別に駆動し、上火バーナ３２と下火バーナ３３の強火及び弱火の組合せを切り替えることができる。燃料供給装置５１、５２は、筐体２内でグリル庫３１の右側面３１Ａと、筐体２の右壁部２１内面との間に形成される隙間領域Ｇ１に配置される。燃料供給装置５１、５２は、筐体２内でグリル庫３１の左側面３１Ｂと、筐体２の左壁部２２内面との間に形成される隙間領域Ｇ２に配置される。以下では、グリルバーナにガスを供給する燃料供給装置５２について説明を行い、右バーナ４、左バーナ５、奥バーナ６にガスを供給する燃料供給装置５１、５３、５４については説明を省略する。
【００２３】
燃料供給装置５２は、操作つまみ１２の押し込み操作に応じ、グリルバーナの点火と消火を行う。燃料供給装置５２は、操作つまみ１２の操作に応じて動作する合成樹脂製で円筒状の前側本体５２Ａと、内部のガス流路にメイン弁６１及び安全弁６２を備える金属製で円筒状の後側本体５２Ｂとを備える。前側本体５２Ａの内部には、操作つまみ１２の押し込み操作によって前後に移動するスライダ６３が設けられる。スライダ６３は、メイン弁６１を開閉させる。安全弁６２は、後側本体５２Ｂのガス流路を閉じる閉状態に弾性付勢された電磁操作式の弁である。後側本体５２Ｂの下部には、ガス供給管６６が接続される接続部６４が設けられ、この接続部６４を介し、ガス供給管６６から後側本体５２Ｂのガス流路に向けてガスが導入される。後側本体５２Ｂの上部には、ガス流路を流れたガスが流出する流出口６５が設けられる。なお、メイン弁６１及び安全弁６２は周知のものであるので、これらの詳細な動作の説明を省略する。
【００２４】
図３〜図５を参照し、ガバナ装置１００について説明する。ガバナ装置１００は、筐体２内の隙間領域Ｇ１に配置される。ガバナ装置１００は燃料供給装置５２に連結し、燃料供給装置５２から供給されるガス圧を調整することにより、安定したガス圧で、ガスをグリルバーナへ供給するための装置である。本実施形態のガバナ装置１００は燃料供給装置５２の上側に配置され、後側本体５２Ｂの流出口６５から流出するガスを内部に導入し、導入したガスを調圧してグリルバーナに供給する。
【００２５】
ガバナ装置１００は、ガスガバナ１１０とガス分配装置１２０を一体に設けた装置である。ガスガバナ１１０は、燃料供給装置５２から供給されるガスの供給圧を調圧する。ガス分配装置１２０は、ガスガバナ１１０が調圧したガスの流量を電磁弁１７１，１７２によって切り替え、上火バーナ３２及び下火バーナ３３の夫々に分配して供給する。
【００２６】
ガスガバナ１１０は公知であるので詳細な説明は省略するが、内部に調圧バネ１１１、弁体１１２、ダイヤフラム１１３、圧力室１１４等を備える。弁体１１２は、調圧バネ１１１の付勢により、弁を開く向きに押圧される。ダイヤフラム１１３は、弁体１１２の軸部に連結する。燃料供給装置５２の流出口６５から供給されるガスは、流出口６５に接続する流入口１１５から圧力室１１４内に流入する。ダイヤフラム１１３は、圧力室１１４内のガス圧が高くなるに従い、バネ圧に抗して弁を閉じる向きに弁体１１２を動かす。ガスガバナ１１０は、流入口１１５のガス圧が変化しても、流出口１１６からガス分配装置１２０へ送出するガス圧が略一定となるように、圧力室１１４内のガス圧を調圧する。
【００２７】
ガス分配装置１２０は、基体１３０に、電磁弁１７１，１７２、ニードル弁１６１，１６２等を組み付けて形成される。基体１３０は、溶融した金属（例えばアルミニウム又はアルミニウム合金）を上下方向に分割される金型に圧入して成型した、いわゆるダイカストである。基体１３０の内部には、ガスが流れる複数の流路が形成されている。なお、図５において、基体１３０内を流通するガスの流れを太線（実線又は点線）で示し、ガスが流れる向きを矢印で示す。
【００２８】
主流路１４１は基体１３０の略中心部を前後方向に延びる。主流路１４１の前端部は、基体１３０の前方を向く前面１３１に開口する。基体１３０の前面１３１は、固定部１３７に形成される。固定部１３７は左右方向に長い板状を呈し、左右両端部に、ガスガバナ１１０とガス分配装置１２０とを締結する固定ネジ１１７のネジ穴が設けられる。主流路１４１の前端部は、ガスガバナ１１０の流出口１１６から送出されるガスをガス分配装置１２０内に導入する導入口１５１として機能する。導入口１５１は前面１３１において前方に突出し、且つその周囲が前面１３１において環状に凹部形成されている。ガスガバナ１１０とガス分配装置１２０の固定時、導入口１５１にはＯリング１１８が配設され、接続部分におけるガス漏れが防止される。
【００２９】
基体１３０の後部には、上下方向に延びる溝状の分配室１４２が設けられる。分配室１４２は、基体１３０の後方を向く後面１３２において上下方向に延びる長円形状に開口し、前方へ向けて凹む凹部状に形成される。分配室１４２内には電磁弁１７１，１７２の弁体１７３，１７４（後述）が配置される。主流路１４１の後端部は、分配室１４２の底部略中央に開口する。
【００３０】
上流路１４３は基体１３０内で主流路１４１の上方に形成され、左右方向に延びる。上流路１４３の右端部は、基体１３０の右方を向く右面１３４に開口し、開口部分が上火供給口１５３として機能する。上火供給口１５３は右面１３４において円形の凹部状に形成され、底部中央に、上流路１４３の主部分に連通する穴部が開口する。上火供給口１５３には、グリルバーナのうちの上火バーナ３２にガスを輸送する上火ガス管３５の上流端部３５Ａが挿入される。上流路１４３の左端部は、基体１３０の左方を向く左面１３３に開口する。上流路１４３の左端部は、分配室１４２から上流路１４３に流入するガスの流量を調整するニードル弁１６１が組み付けられる上火調整部１５５として機能する。上火調整部１５５の内径は、ニードル弁１６１の外径に合わせ、上流路１４３の主部分よりも大きい。
【００３１】
上火開閉路１４５は基体１３０内で前後方向に延び、分配室１４２と上流路１４３の主部分とを接続する。上火開閉路１４５の後端部は、分配室１４２の底部において、主流路１４１の開口よりも上方の位置に開口する。分配室１４２内の上火開閉路１４５の開口は、電磁弁１７１の弁体１７３によって開閉される。上火バイパス路１４７は基体１３０内で前後方向に延び、分配室１４２と上火調整部１５５とを接続する。上火バイパス路１４７の後端部は、分配室１４２の底部において、上火開閉路１４５の開口よりも左方の位置に開口する。分配室１４２内の上火バイパス路１４７の開口は、常時開いた状態である。
【００３２】
上火調整部１５５には、基体１３０の左面１３３側よりニードル弁１６１が挿入される。ニードル弁１６１は左右方向に長く、側面の横穴と右面の縦穴が内部で連通する。ニードル弁１６１の横穴は上火バイパス路１４７の前端部の開口に向き合って配置され、縦穴は上流路１４３内に開口する。分配室１４２から上火バイパス路１４７を通り上火調整部１５５内に流れるガスは、横穴と縦穴を通り、上流路１４３に流通する。ニードル弁１６１は、上火バイパス路１４７から上流路１４３に流通するガスを遮断しないが、小径に形成された縦穴によってガスの流量を制限する。ニードル弁１６１は、基体１３０の左面１３３に締結される押えネジ１６３によって上火調整部１５５内に保持される。また、ニードル弁１６１には２つのＯリングが設けられており、上火調整部１５５においてニードル弁１６１を介さないガスの流通が防止される。
【００３３】
下流路１４４は基体１３０内で主流路１４１の下方に形成され、左右方向に延びる。下流路１４４の右端部は、基体１３０の右面１３４に開口し、開口部分が下火供給口１５４として機能する。下火供給口１５４は、上火供給口１５３の下方に設けられる。下火供給口１５４は右面１３４において円形の凹部状に形成され、底部中央に、下火供給口１５４の主部分に連通する穴部が開口する。下火供給口１５４には、グリルバーナのうちの下火バーナ３３にガスを輸送する下火ガス管３６の上流端部３６Ａが挿入される。下流路１４４の左端部は、基体１３０の左面１３３に開口する。下流路１４４の左端部は、分配室１４２から下流路１４４に流入するガスの流量を調整するニードル弁１６２が組み付けられる下火調整部１５６として機能する。下火調整部１５６の内径は、ニードル弁１６２の外径に合わせ、下流路１４４の主部分よりも大きい。
【００３４】
下火開閉路１４６は基体１３０内で前後方向に延び、分配室１４２と下流路１４４の主部分とを接続する。下火開閉路１４６の後端部は、分配室１４２の底部において、主流路１４１の開口よりも下方の位置に開口する。分配室１４２内の下火開閉路１４６の開口は、電磁弁１７２の弁体１７４によって開閉される。下火バイパス路１４８は基体１３０内で前後方向に延び、分配室１４２と下火調整部１５６とを接続する。下火バイパス路１４８の後端部は、分配室１４２の底部において、下火開閉路１４６の開口よりも左方の位置に開口する。分配室１４２内の下火バイパス路１４８の開口は、常時開いた状態である。
【００３５】
下火調整部１５６には、基体１３０の左面１３３側よりニードル弁１６２が挿入される。ニードル弁１６２は左右方向に長く、側面の横穴と右面の縦穴が内部で連通する。ニードル弁１６２の横穴は下火バイパス路１４８の前端部の開口に向き合って配置され、縦穴は下流路１４４内に開口する。分配室１４２から下火バイパス路１４８を通り下火調整部１５６内に流れるガスは、横穴と縦穴を通り、下流路１４４に流通する。ニードル弁１６２は、下火バイパス路１４８から下流路１４４に流通するガスを遮断しないが、小径に形成された縦穴によってガスの流量を制限する。ニードル弁１６２は、基体１３０の左面１３３に締結される押えネジ１６４によって下火調整部１５６内に保持される。また、ニードル弁１６２には２つのＯリングが設けられており、下火調整部１５６においてニードル弁１６２を介さないガスの流通が防止される。
【００３６】
検出路１４９は基体１３０内で上下方向に延び、下端部が上流路１４３の主部分に接続する。検出路１４９の上端部は、基体１３０の上方を向く上面１３５において開口し、開口部分の周囲が上方へ向けて筒状に突出する。検出路１４９の上端部は、ガスコンロ１の製造時やメンテナンス時に用いる検出口１５７として機能し、普段はガスケット（図示略）と封止ネジ１３８により封止される。なお、基体１３０の下方を向く下面１３６において、各流路は開口しない。
【００３７】
電磁弁１７１、１７２は固定金具１７５に一体に保持され、分配室１４２の開口の周囲に配置されるパッキン１７６を挟んで分配室１４２の後部に４本の固定ネジ１７７により固定される。固定金具１７５とパッキン１７６によって開口部分が蓋されることによって、分配室１４２は密閉される。電磁弁１７１、１７２の弁体１７３，１７４は夫々、分配室１４２内で上火開閉路１４５、下火開閉路１４６の開口の後方に配置される。電磁弁１７１、１７２が駆動すると、弁体１７３，１７４は夫々、上火開閉路１４５、下火開閉路１４６の開口を閉鎖し、ガスの流路を夫々、上火バイパス路１４７、下火バイパス路１４８を介した流路に制限する。
【００３８】
次に、図２、図４、図６を参照し、ガバナ装置１００とグリル庫３１との間における上火ガス管３５と下火ガス管３６の接続について説明する。グリル庫３１の上火バーナ３２は、グリル庫３１の上部において、庫内に収容される被調理物を上方から加熱する位置に設けられる。上火バーナ３２は、ガバナ装置１００から上火ガス管３５を通して供給されるガスを、上火スロート部３７を介して受給する。上火スロート部３７は上火バーナ３２の後部に設けられ、ガスコンロ１の筐体２内で右方へ向けて延び、且つ右方へ向けて右端が開口する。上火スロート部３７は、細く筒状に延びる胴部３７Ａに対し、右端部３７Ｂが開口部分へ向けて内径が末広がりに大きくなるスロート状を呈する。上火ガス管３５の下流端部３５Ｂは、ガバナ装置１００から供給されるガスを噴射する噴射口であり、噴射口を左方へ向けて、右端部３７Ｂの開口部分に配置される。ガスは右端部３７Ｂに対して噴射されるとき、周囲の空気を巻き込んで混合し、混合気として上火バーナ３２に供給される。
【００３９】
グリル庫３１の下火バーナ３３は、グリル庫３１の下部において、庫内に収容される被調理物を左下方及び右下方から加熱する位置に設けられる。下火バーナ３３は、ガバナ装置１００から下火ガス管３６を通して供給されるガスを、下火スロート部３８を介して受給する。下火スロート部３８は下火バーナ３３の後部に設けられ、ガスコンロ１の筐体２内で右方へ向けて延び、且つ右方へ向けて右端が開口する。下火スロート部３８は、細く筒状に延びる胴部３８Ａに対し、右端部３８Ｂが開口部分へ向けて内径が末広がりに大きくなるスロート状を呈する。下火スロート部３８は、上火スロート部３７よりも後方且つ下方に位置する。下火ガス管３６の下流端部３６Ｂは、ガバナ装置１００から供給されるガスを噴射する噴射口であり、噴射口を左方へ向けて、右端部３８Ｂの開口部分に配置される。ガスは右端部３８Ｂに対して噴射されるとき、周囲の空気を巻き込んで混合し、混合気として下火バーナ３３に供給される。
【００４０】
前述したように、上火ガス管３５の上流端部３５Ａと下火ガス管３６の上流端部３６Ａは、夫々、ガス分配装置１２０の基体１３０の右面１３４に開口する上火供給口１５３と下火供給口１５４に挿入される。基体１３０において、上火供給口１５３は下火供給口１５４の上方に設けられており、上火供給口１５３と下火供給口１５４は、共に右方へ向けて開口する。上流端部３５Ａ，３６Ａは、上火供給口１５３、下火供給口１５４の夫々に対して左方へ向けて挿入される。
【００４１】
筐体２内で、ガバナ装置１００は燃料供給装置５２の上に組み付けられる。筐体２内において、上火スロート部３７の開口部は、上火供給口１５３の後方、且つ略同じ高さ位置にある。故に、上火ガス管３５の中間部分は略前後方向に延び、上流端部３５Ａ及び下流端部３５Ｂが中間部分に対して夫々左方に屈曲する。上火ガス管３５は、上方から見て略コの字形状を呈する。
【００４２】
筐体２内において、下火スロート部３８の開口部は、下火供給口１５４の後方、且つ高さ位置が下火供給口１５４よりも下方にある。故に、下火ガス管３６の中間部分は前後方向に延びる部分と上下方向に延びる部分とが屈曲により接続され、上流端部３６Ａ及び下流端部３６Ｂが中間部分に対して夫々左方に屈曲する。下火ガス管３６は、上方から見て略コの字形状を呈する。
【００４３】
上火ガス管３５及び下火ガス管３６の組み付けは、下火ガス管３６が上火ガス管３５よりも先に行われる。図６に示すように、下火ガス管３６は、上流端部３６Ａ及び下流端部３６Ｂが中間部分から屈曲する方向を左方に向けて、ガバナ装置１００の右上方に配置される。下火ガス管３６は隙間領域Ｇ１内に下ろされ、ガバナ装置１００の右方に配置される。上流端部３６Ａの軸は下火供給口１５４の軸に揃えられ、下流端部３６Ｂの軸は下火スロート部３８の開口部分の中央に配置される。下火ガス管３６は、管全体が左方へ移動される。上流端部３６Ａは、下火供給口１５４に挿入され、下流端部３６Ｂの噴射口は、下火スロート部３８の開口部分に対峙して配置される。
【００４４】
次に、上火ガス管３５は、上流端部３５Ａ及び下流端部３５Ｂが中間部分から屈曲する方向を左方に向けて、ガバナ装置１００の右上方に配置される。上火ガス管３５は隙間領域Ｇ１内に下ろされ、ガバナ装置１００の右方に配置される。上流端部３５Ａの軸は下火供給口１５４の軸に揃えられ、下流端部３５Ｂの軸は上火スロート部３７の開口部分の中央に配置される。上火ガス管３５は、管全体が左方へ移動される。上流端部３５Ａは、上火供給口１５３に挿入され、下流端部３５Ｂの噴射口は、上火スロート部３７の開口部分に対峙して配置される。
【００４５】
図４に示すように、基体１３０の右面１３４に抜け防止のための保持金具１３９が嵌められ、固定ネジ１４０で基体１３０に固定されることによって、上火ガス管３５の上流端部３５Ａと、下火ガス管３６の上流端部３６Ａは、基体１３０から抜け止めされる。また、図２に示すように、下流端部３５Ｂ及び下流端部３６Ｂは、上火スロート部３７及び下火スロート部３８の左側に設けられた固定部（図示略）に、夫々組み付けられる。
【００４６】
以上説明したように、ガバナ装置１００とグリル庫３１との間に上火ガス管３５を配設する場合に、上火ガス管３５の上流端部３５Ａを上火供給口１５３に接続する方向と、下流端部３５Ｂを上火スロート部３７に接続する方向は共に同じ方向であり、左右方向の左側を向く方向である。故に筐体２内に上火ガス管３５を組み付けるとき、上火ガス管３５の上流端部３５Ａを上火供給口１５３に向け、下流端部３５Ｂを上火スロート部３７に向けた状態で、上火ガス管３５の全体を左右方向の左側に移動させればよいので、上火ガス管３５の位置決めが容易であり、筐体２内で上火ガス管３５を容易に配設することができる。また、上火ガス管３５の接続作業において、上火ガス管３５の上流端部３５Ａを上火供給口１５３に差し込む作業と、下流端部３５Ｂを上火スロート部３７の開口部分に対峙する位置に配置する作業とを、上火ガス管３５に曲げや捻り等の負荷をかけずに行うことができる。そして、上火ガス管３５は、例えば、上流端部３５Ａと下流端部３５Ｂを、両端部を繋ぐ中間部分に対して同一方向に折り曲げ、コの字状に形成すればよいので、製造が容易である。
【００４７】
下火ガス管３６を配設する場合についても同様である。すなわち、下火ガス管３６の上流端部３６Ａを下火供給口１５４に接続する方向と、下流端部３６Ｂを下火スロート部３８に接続する方向は共に同じ方向であり、左右方向の左側を向く方向である。故に筐体２内に下火ガス管３６を組み付けるとき、下火ガス管３６の上流端部３６Ａを下火供給口１５４に向け、下流端部３６Ｂを下火スロート部３８に向けた状態で、下火ガス管３６の全体を左右方向の左側に移動させればよいので、下火ガス管３６の位置決めが容易であり、筐体２内で下火ガス管３６を容易に配設することができる。また、下火ガス管３６の接続作業において、下火ガス管３６の上流端部３６Ａを下火供給口１５４に差し込む作業と、下流端部３６Ｂを下火スロート部３８の開口部分に対峙する位置に配置する作業とを、下火ガス管３６に曲げや捻り等の負荷をかけずに行うことができる。そして、下火ガス管３６は、例えば、上流端部３６Ａと下流端部３６Ｂを、両端部を繋ぐ中間部分に対して同一方向に折り曲げ、コの字状に形成すればよいので、製造が容易である。
【００４８】
また、上火ガス管３５と下火ガス管３６を筐体２内で共に同じ方向（左右方向の左側）に移動させることでガバナ装置１００及びグリル庫３１に接続できるので、筐体２内で上火ガス管３５と下火ガス管３６を容易に配設することができる。
【００４９】
更に、上火ガス管３５と下火ガス管３６の組み付け時の移動方向を左右方向に限定できるので、筐体２内で他の部品に干渉しにくく、筐体２内で上火ガス管３５と下火ガス管３６を容易に配設することができる。
【００５０】
下火供給口１５４、下火スロート部３８は、夫々、上火供給口１５３、上火スロート部３７の下方にある。故に、上火ガス管３５と下火ガス管３６は、夫々がガバナ装置１００とグリル庫３１に接続した状態で、互いに交差しない。よってガスコンロ１の製造時には、下火ガス管３６を配設してから上火ガス管３５を配設すればよく、筐体２内で上火ガス管３５と下火ガス管３６を容易に配設することができる。
【００５１】
右面１３４の開口部分が上火供給口１５３として機能する上流路１４３と、右面１３４の開口部分が下火供給口１５４として機能する下流路１４４は、共に、基体１３０を左右方向に貫通する。基体１３０を金型で成型するとき、上流路１４３と下流路１４４を形成する中子によって上火供給口１５３と下火供給口１５４を形成すれば、夫々の開口方向を、左右方向の右側へ向けて精確に形成することができる。また、ガスガバナ１１０を主流路１４１が延びる前後方向に沿って配置できるので、上火ガス管３５と下火ガス管３６の配置における相互の干渉を避けることができる。更に、主流路１４１と上流路１４３及び下流路１４４は直交し、且つ主流路１４１を挟んで上流路１４３の反対側に下流路１４４を配置するので、基体１３０内で各流路の配置間隔を狭めても、構成要素の組み付けにおける相互の干渉を避けることができ、基体１３０の小型化を図ることができる。
【００５２】
なお、本発明は上記実施形態に限定されるものではなく、種々の変更が可能である。上流路１４３が延びる方向と下流路１４４が延びる方向とは、必ずしも同じ方向でなくてもよい。また、上流路１４３が延びる方向は、必ずしも左右方向でなくてもよく、同様に、下流路１４４が延びる方向は、必ずしも左右方向でなくてもよい。なお、上記いずれの場合においても、上流路１４３の延びる方向に沿って上火供給口１５３が形成され、上火ガス管３５の上流端部３５Ａが上流路１４３の延びる方向に沿って上火供給口１５３に挿入され、且つ下流端部３５Ｂが、上流路１４３の延びる方向に沿って上火スロート部３７に接続される構成であればよい。同様に、上記いずれの場合においても、下流路１４４の延びる方向に沿って下火供給口１５４が形成され、下火ガス管３６の上流端部３６Ａが下流路１４４の延びる方向に沿って下火供給口１５４に挿入され、且つ下流端部３６Ｂが、下流路１４４の延びる方向に沿って下火スロート部３８に接続される構成であればよい。
【００５３】
上記説明において、グリル庫３１の右側面３１Ａが本発明の「グリル庫の一方の側面」の一例である。筐体２の右壁部２１が本発明の「筐体の内面」の一例である。隙間領域Ｇ１が本発明の「隙間領域」の一例である。左右方向が本発明の「第一方向」及び「第二方向」の一例である。上火スロート部３７が本発明の「上火混合管」の一例である。下火スロート部３８が本発明の「下火混合管」の一例である。基体１３０が本発明の「ハウジング」の一例である。前後方向が本発明の「第三方向」の一例である。主流路１４１が本発明の「第一流路」の一例である。ニードル弁１６１，１６２が本発明の「調整弁」の一例である。上流路１４３が本発明の「第二流路」の一例である。下流路１４４が本発明の「第三流路」の一例である。上火バイパス路１４７が本発明の「上火連通路」の一例である。下火バイパス路１４８が本発明の「下火連通路」の一例である。
【符号の説明】
【００５４】
１                                    ガスコンロ
２                                    筐体
２１                                  右壁部
３１                                  グリル庫
３１Ａ                                右側面
３２                                  上火バーナ
３３                                  下火バーナ
３７                                  上火スロート部
３８                                  下火スロート部
１００                                ガバナ装置
１１０                                ガスガバナ
１２０                                ガス分配装置
１３０                                基体
１４１                                主流路
１４２                                分配室
１４３                                上流路
１４４                                下流路
１４７                                上火バイパス路
１４８                                下火バイパス路
１５３                                上火供給口
１５４                                下火供給口
１５５                                上火調整部
１５６                                下火調整部
１６１，１６２                        ニードル弁
【図１】
2020169732.tif 000003
【図２】
2020169732.tif 000004
【図３】
2020169732.tif 000005
【図４】
2020169732.tif 000006
【図５】
2020169732.tif 000007
【図６】
2020169732.tif 000008